(57)【要約】【課題】  容易に異なる画角の撮影画像を得る。【解決手段】  アクチュエータ５５の支持軸５３の駆動によって、シリンドリカルレンズ１５を光軸４０から回避される位置１５Ａから光軸４０上に配設される位置１５Ｂへ駆動可能に設ける。シリンドリカルレンズ１５を光軸４０に対して挿抜可能に設けることができるので、デジタルカメラ１０では、シリンドリカルレンズ１５及びレンズ１４を介して入射された入射光に応じた撮影画像と、レンズ１４のみを介して入射された入射光に応じた撮影画像と、を得ることができる。【選択図】  図２
2005062531.tif 000002
【特許請求の範囲】
【請求項１】
被写体からの光を集光すると共に、該集光した光により被写体の像を撮像しかつ該被写体を含む撮影画像の画像データを得る撮影手段と、
前記画像データを記憶する記憶手段と、
前記撮影手段の光路に交差する複数の異なる方向について異なる屈折力を有する屈折レンズを、前記光路に挿入可能に保持する保持手段と、
を備えたデジタルカメラ。
【請求項２】
前記保持手段は、前記屈折レンズを着脱可能に保持することを特徴とする請求項１に記載のデジタルカメラ。
【請求項３】
前記屈折レンズが前記光路に挿入されたことを検出する検出手段と、前記検出手段の検出結果を前記画像データと連動して出力する制御手段と、を更に含むことを特徴とする請求項１または請求項２に記載のデジタルカメラ。
【請求項４】
前記屈折レンズが前記光路に挿入された場合、前記屈折レンズの屈折方向に応じて前記画像データを伸長する伸長手段を更に備えたことを特徴とする請求項１乃至請求項３の何れか１項に記載のデジタルカメラ。
【請求項５】
前記屈折レンズが前記光路に挿入された場合、前記屈折レンズの屈折方向に応じて前記撮影画像が圧縮されたことを表す圧縮情報を出力する出力手段を更に備えたことを特徴とする請求項１乃至請求項３の何れか１項に記載のデジタルカメラ。
【請求項６】
前記屈折レンズが前記光路に挿入された場合、該屈折レンズが前記光路に挿入されたことを表す挿入情報を、前記画像データと共に記憶する記憶制御手段を更に備えたことを特徴とする請求項１乃至請求項５の何れか１項に記載のデジタルカメラ。
【発明の詳細な説明】
【技術分野】
【０００１】
本発明は、デジタルカメラに係る。
【背景技術】
【０００２】
従来、銀塩カメラにおいて、撮影によりパノラマ画像を得ることが行われている。このような銀塩カメラでは、撮影レンズの光軸上にシリンドリカルレンズを設けて撮影を行うことによって、パノラマ画像を得る技術が知られている（例えば、特許文献１参照）。このような技術では、視野の横方向を拡大したパノラマサイズの被写体を、撮影レンズによる結像とシリンドリカルレンズによる縦方向の拡大作用によって、写真フィルム上に標準サイズのネガ画像として記録する。この標準サイズとして記録されたネガ画像を、シリンドリカルレンズを設けたプリンタを使用し、縦方向に比べて高い倍率で横方向に拡大して記録用紙に記録することによって、パノラマ画像の写真プリントを得る。
【特許文献１】実開平６−５４０４６号公報  （第５頁―６頁、図１）
【発明の開示】
【発明が解決しようとする課題】
【０００３】
しかしながら、上記技術では、パノラマ画像の写真プリントを得るための専用のプリンタを用意する必要があった。また、パノラマ画像と通常画像の２種の撮影画像を得る場合には、別途通常画像を得るための銀塩カメラ及びプリンタを用意する必要があった。
【０００４】
本発明は、上記問題点を解決するためになされたもので、容易に異なる画角の撮影画像を得ることを目的とする。
【課題を解決するための手段】
【０００５】
上記目的を達成するために本発明のデジタルカメラは、被写体からの光を集光すると共に、該集光した光により被写体の像を撮像しかつ該被写体を含む撮影画像の画像データを得る撮影手段と、前記画像データを記憶する記憶手段と、前記撮影手段の光路に交差する複数の異なる方向について異なる屈折力を有する屈折レンズを、前記光路に挿入可能に保持する保持手段と、を備えている。
【０００６】
本発明のデジタルカメラは、撮影手段を備えており、被写体からの光を集光し、集光した光によって被写体の像を撮像する。撮像によって撮影手段は、被写体を含む撮影画像の画像データを得る。撮影手段によって得られた画像データは、記憶手段に記憶される。保持手段は、屈折レンズを撮影手段の光路に挿入可能に保持する。屈折レンズは、シリンドリカルレンズやトロイダルレンズ等のように、光路に交差する複数の異なる方向に異なる屈折力を有するレンズである。屈折レンズが保持手段によって撮影手段の光路に挿入されると、撮影手段は、屈折レンズの屈折力による画角の拡縮と、撮影手段による集光によって、拡縮された画角の撮影画像を得る。この撮影画像は、標準サイズの画角とは異なる画角の撮影画像であり、拡縮された画角の画像を標準サイズの画像領域内に収めたものである。標準サイズの画角とは、撮影手段に設けられた撮影レンズのみによる画角である。標準サイズの画角とは異なる画角には、例えば、パノラマサイズの画角やシネマサイズの画角等がある。このように、保持手段によって屈折レンズを光路に挿抜することができるので、デジタルカメラにおいて標準サイズとは異なる画角の撮影画像を得ることができる。
【０００７】
前記保持手段は、前記屈折レンズを着脱可能に保持することができる。このように、屈折レンズをデジタルカメラに着脱可能に構成することで、異なる画角の画像を必要とする場合に装着したり、不必要とする場合に離脱したりすることが容易となる。
【０００８】
前記屈折レンズが前記光路に挿入されたことを検出する検出手段と、前記検出手段の検出結果を前記画像データと連動して出力する制御手段と、を更に含むことができる。
【０００９】
屈折レンズが撮影手段の光路へ挿入された場合、これを検出手段が検出する。この検出結果は、制御手段により撮影画像の画像データとを連動して出力される。一方、屈折レンズが光路から離脱された場合には、制御手段は、その検出結果を撮影画像の画像データと連動して出力することができる。このように、屈折レンズの光路への挿入の有無を示す検出結果を、各検出状態における画像データに連動して出力することにより、画像データが屈折レンズを介した撮像により得られたものであるか否かを表す情報を提供することができる。従って、画像データの把握や画像データの加工処理を容易かつ有効に行うことができる。
【００１０】
前記屈折レンズが前記光路に挿入された場合、前記屈折レンズの屈折方向に応じて前記画像データを伸長する伸長手段を更に備えることができる。
【００１１】
屈折レンズが光路に挿入されると、撮影手段は、屈折レンズの屈折力により画角が拡縮された撮影画像を得る。例えば、シリンドリカルレンズが光路に挿入されたとき、この撮影画像は、屈折レンズの屈折方向に圧縮されたものとなる。伸長手段は、該圧縮された撮影画像を屈折レンズの屈折方向に応じて伸長する。すなわち、屈折レンズを介さない撮像により得られる画角の撮影画像の画像データに変換する。従って、屈折レンズの挿入または非挿入に拘わらず、撮影画像の画像データを扱う事が可能となる。
【００１２】
前記屈折レンズが前記光路に挿入された場合、前記屈折レンズの屈折方向に応じて前記撮影画像が圧縮されたことを表す圧縮情報を出力する出力手段を更に備えることができる。
【００１３】
屈折レンズが光路に挿入されると、屈折レンズの屈折方向に応じて圧縮された撮影画像となる。出力手段は、撮影手段によって得られた撮影画像が屈折レンズの屈折方向に応じて圧縮された撮影画像であることを示す圧縮情報を出力する。このように、圧縮情報を出力することで、画像データが圧縮された状態であるか否かを提示でき、後段の処理において画像データの伸長や各種処理を行うための情報を提供することができる。
【００１４】
前記屈折レンズが前記光路に挿入された場合、該屈折レンズが前記光路に挿入されたことを表す挿入情報を、前記画像データと共に記憶する記憶制御手段を更に備えることができる。
【００１５】
屈折レンズが光路に挿入されることにより得られる画像データには、屈折レンズの屈折方向に圧縮された撮影画像の画像データや、圧縮された撮影画像を更に屈折方向に伸長した撮影画像の画像データ等がある。記憶制御手段は、これらの画像データとともに、各々の画像データの圧縮情報や伸長情報等を含む挿入情報を記憶することができるので、後段の処理において挿入情報に応じた適切な画像処理を選択的に行うための情報を提供することができる。
【発明の効果】
【００１６】
以上説明したように、本発明のデジタルカメラによれば、屈折レンズを光路上に挿抜可能に設けることができるので、容易に異なる画像の撮影画像を得ることができる、という効果が得られる。
【発明を実施するための最良の形態】
【００１７】
[第1の実施の形態]
本発明のデジタルカメラの一の実施の形態を図面に基づき説明する。
【００１８】
図1には、本実施の形態に係るデジタルカメラ１０の外観を示す正面図及び背面図を示した。
【００１９】
図１（Ａ）に示すように、デジタルカメラ１０の筐体１２の正面には、被写体像を結像させるためのレンズ１４、詳細を後述するシリンドリカルレンズ１５及び撮影範囲等を目視で確認するためのファインダ２０が設けられている。筐体１２の側面には、記録メディア１６を装着可能なカードスロット１８が設けられている。記録メディア１６には、撮影画像の画像データを記憶することができる。また筐体１２の上面には、撮影を指示する際にユーザによって押圧操作されるレリーズスイッチ２２、及び電源スイッチ２４が設けられている。電源スイッチ２４は、ユーザがデジタルカメラ１０の各部への電源電力の供給または供給停止の切り換えを行うときに操作するためのものである。
【００２０】
図１（Ｂ）に示すように、筐体１２の背面には、ＬＣＤ２６（液晶表示装置）が設けられている。ＬＣＤ２６には、撮影によって得られた画像データの撮影画像、各種メニュー、及びユーザに対する各種選択項目等を表示するためのものである。また、ＬＣＤ２６の近傍には、ユーザが撮影画角を確認するためのファインダ２０及びスイッチ２８が設けられている。
【００２１】
本実施の形態では、スイッチ２８として、レリーズスイッチ２２、電源スイッチ２４、モード切替ボタン３４、実行ボタン３０、及び上下矢印キー３２を含んだ構成を採用している。モード切替ボタン３４は、パノラマ撮影モードまたは通常撮影モードにデジタルカメラ１０の撮影モードを切換えるときにユーザによって操作されるものである。通常撮影モードとは、通常の縦横比の撮影画像（以下、通常画像という）を画質の低下を生じることなく出力可能な撮影画像の画像データを得るモードである。パノラマ撮影モードとは、通常画像とは縦横比が異なり、縦方向の長さに対する横方向の長さの比率が通常画像より大きい撮影画像（以下、パノラマ画像という）を画質低下することなく出力可能な撮影画像の画像データを得るものである。
【００２２】
撮影画像の出力は、例えば、画像データの撮影画像に応じて、記録用紙等の記録媒体へ撮影画像を記録することによって写真プリントを作成するプリント装置や、画像データの撮影画像をＬＣＤやＣＲＴ等の表示装置へ表示するパーソナルコンピュータ等を用いることにより可能である。なお、これらのプリント装置及びパーソナルコンピュータの構成は、一般的なものであるため、詳細な説明を省略する。
【００２３】
上下矢印キー３２は、ユーザがＬＣＤ２６に表示された各種メニューから任意のメニュー項目を選択する際等に操作するためのものである。実行ボタン３０は、ユーザが各項目の実行開始を指示するときに操作するためのものである。
【００２４】
なお、本実施の形態では、レリーズスイッチ２２、モード切替ボタン３４、実行ボタン３０、及び上下矢印キー３２は、それぞれ独立したスイッチとして設けた場合を説明するが、これらのスイッチを１つのスイッチで機能するようにしてもよい。この場合、例えば、ＬＣＤ２６に各種機能選択のための項目一覧を表示して、これらの表示された項目一覧を１つのスイッチで随時項目選択することによって、機能するようにすればよい。
【００２５】
図２には、本実施の形態に係るデジタルカメラ１０の主要構成をブロック図として示した。デジタルカメラ１０は、ＣＣＤ（Ｃｈａｒｇｅ  Ｃｏｕｐｌｅｄ  Ｄｅｖｉｃｅ）４２を有している。ＣＣＤ４２は、詳細を後述する撮影レンズ光学系１９により得られる被写体からの反射光を撮影画像を示すアナログ画像データ（以下、画像データという）に変換して出力するためのものである。
【００２６】
また、デジタルカメラ１０は、ＣＰＵ４４、ＲＯＭ４６、及びＲＡＭ４８からなるマイクロコンピュータを含んで構成される。これらのデバイスは、データやコマンドの授受が可能なようにバス５０で接続されている。上記ＲＯＭ４６は、各種デバイスを制御するためのメイン制御プログラム等の各種プログラムや所定データ等を記憶するためのものである。ＲＡＭ４８は、主として各種プログラムによって生成されるデータを一時的に記憶するためのものである。
【００２７】
また、バス５０には、メモリ５２及びインターフェース（以下、Ｉ／Ｆという）５６が接続されている。メモリ５２は、各種データを記憶するためのものである。Ｉ／Ｆ５６は、撮影によって得られた画像データを記録メディア１６へ出力するためのものである。記録メディア１６は、カードスロット１８に装着されることによってＩ／Ｆ５６に接続可能である。記録メディア１６の一例としては、ＩＣカードなどのメモリ媒体がある。また、バス５０には、ＬＣＤ２６及びＩ／Ｏ５８が接続されている。このＩ／Ｏ５８には上記各種スイッチから構成されるスイッチ２８が接続されている。
【００２８】
撮影レンズ光学系１９は、レンズ１４及びレンズ１４の光入射側に配設されるシリンドリカルレンズ１５から構成されている。レンズ１４は、撮影レンズ光学系１９の光軸４０上に配設されている。シリンドリカルレンズ１５は、支持軸５３を介して、アクチュエータ５５に取り付けられており、支持軸５３の上下駆動によって光軸４０に挿抜される。アクチュエータ５５は、バス５０に接続されており、ＣＰＵ４４の制御によって、シリンドリカルレンズ１５を光軸４０上に配設される位置１５Ｂまたは光軸４０上から回避される位置１５Ａに駆動する。
【００２９】
なお、シリンドリカルレンズ１５は、図３に示すように、撮影レンズ光学系１９を構成するレンズ１４の光出射側に配設されるようにしてもよい。このとき、シリンドリカルレンズ１５は、上記と同様にアクチュエータ５５の駆動によって、光軸４０上に配設される位置１６Ｂまたは光軸４０上から回避される位置１６Ａに駆動する。
【００３０】
シリンドリカルレンズ１５は、入射された光を特定の方向のみ集光するレンズであって、光軸４０上に配設されると、光軸４０に交差する方向に屈折力を有する。本実施の形態では、シリンドリカルレンズ１５として、筐体１２の上面（レリーズスイッチ２２が設けられた面）を上方向とし、筐体１２の両側面（カードスロット１８が設けられた面）に直交する方向を左右方向とし、これら上下方向及び左右方向は光軸４０に直交するものとすると、左右方向に凸曲面を形成したレンズを使用するとともに、凸曲面が光の入射側に配設されるように光軸４０上に配置されるものとして説明する。このため、デジタルカメラ１０では、シリンドリカルレンズ１５が光軸４０上に配置されると、左右方向に屈折力を有するように屈折された被写体を示す像がレンズ１４を介してＣＣＤ４２へ結像される。従って、シリンドリカルレンズ１５を介した撮影によって、ＣＣＤ４２では、あたかも左右に圧縮されたかのような撮影画像を得ることができる。
【００３１】
具体的には、シリンドリカルレンズ１５を介さない場合には、デジタルカメラ１０では、光路６２からの入射光による被写体の撮影画像を得る。シリンドリカルレンズ１５を介すると、デジタルカメラ１０では、左右方向の視野を拡大したような、光路６０からの入射光による被写体の撮影画像を得る。
【００３２】
なお、本実施の形態では、シリンドリカルレンズ１５には、左右方向に凸曲面を形成したレンズを採用する場合を説明するが、このような形態に限られるものではない。例えば、左右方向ではなく上下方向に凸曲面を形成したものでもあってもよい。この場合、デジタルカメラ１０では、上下方向の視野を拡大したような、光路からの入射光による被写体の撮影画像を得ることができる。
【００３３】
また、本実施の形態では、特定の方向のみ集光するレンズとして、シリンドリカルレンズを使用する場合を説明するが、使用可能なレンズは、シリンドリカルレンズに限られるものではなく、例えば、非球面レンズであってもよい。
【００３４】
なお、上記ＣＣＤ４２は、本発明のデジタルカメラ１０の撮影手段に相当し、記録メディア１６は記憶手段に相当する。また、指示軸５３は、本発明の保持手段に相当する。
【００３５】
次に、上記実施の形態に係るデジタルカメラ１０の作用を説明する。
【００３６】
図４には、ＣＰＵ４４で実行される処理ルーチンを示した。電源スイッチ２４によりデジタルカメラ１０に電源が投入されるとステップ１００に進み、モード状態確認処理が実行される。ステップ１００の処理は、モード切替ボタン３４によるパノラマ撮影モードまたは通常撮影モードの選択状態を確認するものである。モード切替ボタン３４の選択状態の確認は、メモリ５２に記憶されたモード切替ボタン３４の状態を表すデータを読取ることによって可能である。モード切替ボタン３４の選択状態には、ユーザによってパノラマ撮影モードが選択された状態、及び通常撮影モードが選択された状態がある。これらの状態を表すデータは、電源が投入された後に、モード切替ボタン３４がユーザによって操作されることによって入力される。入力されたデータは、モード切替ボタン３４の選択状態を表すデータとしてメモリ５２に記憶される。このメモリ５２に記憶されたモード切替ボタン３４の選択状態を表すデータを確認することによって、モード切替ボタン３４の選択状態を確認することができる。
【００３７】
次にステップ１０２では、パノラマ撮影モードか否かを判断する。ステップ１０２の判断は、メモリ５２に記憶されたモード切替ボタン３４の選択状態を表すデータが、パノラマ撮影モードが選択された状態を示すデータか否かを判別することによって判断可能である。
【００３８】
ステップ１０２で肯定されるとステップ１０４へ進み、シリンドリカルレンズ１５を光軸４０上へ駆動する駆動処理が実行される。ステップ１０４の処理によって、アクチュエータ５５を駆動することにより、シリンドリカルレンズ１５が光軸４０上へ駆動し、１５Ｂの位置へ配置される。
【００３９】
次にステップ１０６では、撮影処理が実行される。ステップ１０６の処理は、ユーザによるレリーズスイッチ２２の押圧操作による信号入力によって実行される。ステップ１０６の撮影処理は、シリンドリカルレンズ１５、及びレンズ１４を介して入射された入射光に応じて被写体の撮影画像を得るものであり、被写体を撮影するときにおけるＣＣＤ４２からの図示を省略した焦点調整、ズーム、レンズ等による画角調整、そして露光調整などのデジタルカメラ１０の図示しない各種駆動部を駆動して、撮影画像を得るものである。この撮影処理が終了すると、次のステップ１０８において、撮影画像の画像データを取得する。ステップ１０８で得られた撮影画像の画像データは、シリンドリカルレンズ１５及びレンズ１４を介して入射された入射光により得られた撮影画像であるため、左右方向に圧縮された撮影画像の画像データである。
【００４０】
次にステップ１１０では、伸長処理が実行される。ステップ１１０の処理は、上記ステップ１０８で得られた左右方向に圧縮された撮影画像を、シリンドリカルレンズ１５による圧縮率に応じて、左右方向に伸長するものである。ステップ１１０の処理によって、シリンドリカルレンズ１５を介することによって左右方向に圧縮された撮影画像を、圧縮前の状態、すなわち、あたかも左右方向に視野を拡大したかのような撮影画像の画像データとして復元することができる。
【００４１】
なお、このシリンドリカルレンズ１５による圧縮率は、予め定められた設定値としてメモリ５２に記憶するようにすればよい。また、異なる圧縮率を有するシリンドリカルレンズ１５に対応するために、メモリ５２に記憶されたデータは、上下矢印キー３２のユーザによる操作によって変更可能であるものとする。
【００４２】
例えば、ステップ１１０の処理によって、図６に示すように、左右方向に圧縮された撮影画像８０が伸長されて、左右方向に拡大された撮影画像８２の画像データが得られる。
【００４３】
次にステップ１１２では、パノラマ識別データ付与処理が実行される。ステップ１１２の処理は、上記ステップ１１０で伸長した画像データに、該画像データがパノラマ撮影モードによって得られた撮影画像の画像データであることを表すパノラマ識別データを付与するものである。パノラマ識別データは、例えば、パノラマ撮影モードを示す識別子や該画像データの撮影画像の縦横の圧縮比率を示すデータ等を含んで構成される。次にステップ１１４において、パノラマ識別データを付与した画像データを記録メディア１６に記憶した後に、本ルーチンを終了する。
【００４４】
一方、上記ステップ１０２で否定され、通常撮影モードが選択された状態にある場合、ステップ１１６へ進み、撮影処理が実行される。ステップ１１６の処理は、ユーザによるレリーズスイッチ２２の押圧操作による信号入力によって実行される。ステップ１１４の撮影処理は、上記ステップ１０６の処理と略同様に、被写体を撮影するときにおけるＣＣＤ４２からの図示を省略した焦点調整、ズーム、レンズ等による画角調整、そして露光調整などのデジタルカメラ１０の図示しない各種駆動部を駆動して、撮影画像を得るものである。上記ステップ１０６の処理と異なる点は、シリンドリカルレンズ１５を介さず、レンズ１４のみを介して入射された被写体を示す入射光に応じた撮影画像を得る点である。
【００４５】
次にステップ１１８では、撮影画像の画像データを取得してステップ１２０へ進み、取得した画像データを記録メディア１６に記録した後に、本ルーチンを終了する。
【００４６】
なお、上記ステップ１１０の処理が、本発明のデジタルカメラ１０の伸長手段の機能に相当し、ステップ１１４の処理が、出力手段及び記憶制御手段の機能に相当する。
【００４７】
以上説明したように、本実施の形態のデジタルカメラによれば、シリンドリカルレンズ１５をデジタルカメラ１０の光軸４０に挿抜可能に設けることができる。このため、容易にシリンドリカルレンズ１５及びレンズ１４を介して入射された入射光に応じた撮影画像と、レンズ１４のみを介して入射された入射光に応じた撮影画像と、を得ることができる。従って、デジタルカメラ１０において、一方向に圧縮された、すなわちパノラマ画像として出力可能な撮影画像の画像データと、通常画像の画像データとの双方を容易に得ることができる。
【００４８】
また、シリンドリカルレンズ１５を光軸４０に対して挿抜可能に駆動する駆動機構を備え、パノラマ撮影モードがユーザによって指示されると、シリンドリカルレンズ１５を光軸４０上から回避された位置から光軸４０へと駆動することができるので、通常撮影モードとパノラマ撮影モードとを、簡単な操作で切換えることができる。
【００４９】
またシリンドリカルレンズ１５を介して得られた撮影画像の画像データに、該画像データが、一方向に圧縮された画像データであることを示すパノラマ識別データを付与することができるので、該画等データがパノラマ撮影モードによって得られた画像データであることを容易に識別可能に提供することができる。また、パノラマ画像として出力するために必要な該画像データの圧縮比率を示すデータを提供することができる。
【００５０】
例えば、画像データの撮影画像に対して所定の画像処理を行って、撮影画像を液晶表示装置等に表示するパーソナルコンピュータや、用紙や印画紙などの記録媒体に撮影画像を記録して写真プリントを作成するプリンタやラボ機器等の各種出力装置において、画像データが格納された記録メディア１６から該画像データのパノラマ識別データに応じた画像処理を行うことができる。具体的には、パノラマ識別データに応じて、画像データを分類して管理することができるとともに、パノラマ識別データに応じた画像表示や写真プリント作成等の出力処理を行うことができる。この出力処理では、デジタルカメラ１０において伸長処理された画像データを出力することができるので、通常画像とパノラマ画像の混在し記録メディア１６へ記録された場合であっても、通常撮影モードにより得られた撮影画像の画像データと、パノラマ撮影モードにより得られた撮影画像とを同様に処理することができる。
【００５１】
なお、本発明は、上記の実施の形態に限られるものではない。例えば、上記実施の形態では、上記ステップ１０８でシリンドリカルレンズ１５を介して得られた画像データへ、次のステップ１１０において伸長処理を行う場合を説明したが、この伸長処理を行わない形態も可能である。詳細には、シリンドリカルレンズ１５を介して得られた一方向に圧縮された画像データにパノラマ識別データを付与した後に、記録メディア１６に記録する。この場合、上記パーソナルコンピュータやプリンタ等のような出力装置において、パノラマ識別データに応じて画像データの伸長処理を実行すれば、通常画像とパノラマ画像の混在し記録メディア１６へ記録された場合であっても、該画像データのパノラマ識別データに応じた適切な画像処理を実行することができる。
【００５２】
また、記録メディア１６に記録された画像データの撮影画像を、デジタルカメラ１０のＬＣＤ２６に再生するようにしてもよい。この場合、例えば、ＬＣＤ２６に撮影画像を表示するとともに、該撮影画像の画像データのパノラマ識別データに応じて、該画像データがパノラマ撮影モードにより得られた画像であることを示す情報を同時に表示するようにすればよい。ＬＣＤ２６への撮影画像の表示は、例えば、ＬＣＤ２６に再生モードを含む項目一覧を表示し、ユーザによる上下矢印キー３２による操作によって再生モードが選択された後に、実行ボタン３０が押圧操作されると、実行されるようにすればよい。このようにすれば、デジタルカメラ１０において、撮影によって得られた撮影画像がパノラマ撮影モードにより得られた画像であることを視認可能に提供することができる。
【００５３】
なお、本実施の形態では、シリンドリカルレンズ１５を光軸４０に挿入することによって、パノラマサイズの画像を撮影する場合を説明したが、シリンドリカルレンズ１５を介した撮影によって得られる画像は、縦方向の長さに対する横方向の長さの比率が通常画像とは異なる縦横比の画像であればよく、例えば、シネマサイズの画像であってもよい。
【００５４】
[第２の実施の形態]
上記実施の形態では、シリンドリカルレンズ１５を筐体１２内部に設け、該シリンドリカルレンズをＣＰＵ４４の制御によって光軸４０に対して挿抜可能に駆動する駆動機構を備える場合を説明したが、本実施の形態では、シリンドリカルレンズ１５を、デジタルカメラ１１に取付または取り外し可能に設ける場合を説明する。
【００５５】
なお、本実施の形態は、上記第１の実施の形態と同様の構成のため、同一部分には同一符号を付与して詳細な説明を省略する。
【００５６】
図５に示すように、デジタルカメラ１１は、ＣＰＵ４４、ＲＯＭ４６、及びＲＡＭ４８からなるマイクロコンピュータを含んで構成される。これらのデバイスは、データやコマンドの授受が可能なようにバス５０で接続されている。また、バス５０には、メモリ５２、レンズ装着検知部５４、Ｉ／Ｆ５６、Ｉ／Ｏ５８、及びＬＣＤ２６が接続されている。また、デジタルカメラ１１は、ＣＣＤ４２を有している。ＣＣＤ４２は、撮影レンズ光学系１７により得られる被写体からの反射光を撮影画像を示す画像データに変換して出力する。
【００５７】
撮影レンズ光学系１７は、シリンドリカルレンズ１５、取付部３６、及びレンズ１４から構成されている。シリンドリカルレンズ１５は、取付部３６によって保持されており、マウント３８を介して筐体１２に取付及び取り外し可能に設けられている。シリンドリカルレンズ１５は、筐体１２に取り付けられることによって、撮影レンズ光学系１７の光軸４０上に配置される。レンズ装着検知部５４は、シリンドリカルレンズ１５が取付部３６及びマウント３８を介して筐体１２に取り付けられ、光軸４０上に配置されたことを検知するためのものである。
【００５８】
次に本実施の形態の作用を説明する。
【００５９】
上述のように構成されたデジタルカメラ１０の動作の一例は、図４に示した処理ルーチンと略同様のものである。上記と異なる点は、上記ステップ１０４のシリンドリカルレンズ１５を光軸４０上へ配置される位置へ駆動する駆動処理を、レンズ装着検知部５４によるシリンドリカルレンズ１５の装着検知判断に置き換える点である。すなわち、上記第1の実施の形態では、シリンドリカルレンズ１５を光軸４０上へ配置されるように、アクチュエータ５５を駆動することによって、パノラマ撮影モードによる撮影処理を実行したが、本実施の形態では、ユーザによるシリンドリカルレンズ１５の筐体１２への装着を判断することによって、パノラマ撮影モードによる撮影処理を実行する。
【００６０】
詳細には、上記ステップ１０４の処理に替えて、シリンドリカルレンズ１５のデジタルカメラ１０への装着が検知されるまで否定判断を繰り返し、肯定されると上記ステップ１０６乃至ステップ１１４の処理が実行されて、一方向へ圧縮された撮影画像の画像データの伸長処理が行われた後に、該画像データをパノラマ識別データと共に記録メディア１６へ格納する。シリンドリカルレンズ１５の装着検知は、レンズ装着検知部５４による、シリンドリカルレンズ１５が取付部３６及びマウント３８を介して筐体１２へ取り付けられた事を示す信号入力を判別することによって判断可能である。例えば、モード切替ボタン３４のユーザによる操作によってパノラマ撮影モードが選択されると、ＬＣＤ２６にシリンドリカルレンズ１５の装着を促すメッセージを表示し、ユーザによりシリンドリカルレンズ１５が取付られることによるレンズ装着検知部５４による信号入力を判別するようにすればよい。
【００６１】
なお、上記取付部３６は、本発明の保持手段に相当し、レンズ装着検知部５４は、検出手段に相当する。なお、上記ステップ１１４の処理が、制御手段の機能に相当する。
【００６２】
このように、本実施の形態のデジタルカメラ１１によれば、シリンドリカルレンズ１５を取付部３６によってデジタルカメラ１１の筐体１２へ容易に装着または取外しを行うことができるので、シリンドリカルレンズ１５を筐体１２内へ予め装備する必要がなく、デジタルカメラの軽量化を図ることができる。
【００６３】
また、シリンドリカルレンズ１５が確実に筐体１２に取り付けられた事を検知することによって、パノラマ撮影モードによる撮影を実行することができるので、パノラマ撮影モードにおけるシリンドリカルレンズ１５の装着エラー等の誤操作を防止することができる。
【図面の簡単な説明】
【００６４】
【図１】本発明のデジタルカメラの第1の実施の形態に係るデジタルカメラの外観を示すものであり、（Ａ）は正面図であり、（Ｂ）は背面図である。
【図２】第1の実施の形態に係るデジタルカメラの主要構成を示すブロック図である。
【図３】第１の実施の形態に係る撮影光学系の図２とは別の形態を示す模式図である。
【図４】第1の実施の形態に係るデジタルカメラにおける処理の流れを示すフローチャートである。
【図５】第２の実施の形態に係るデジタルカメラの主要構成を示すブロック図である。
【図６】撮影画像の伸長処理による推移を示す模式図である。
【符号の説明】
【００６５】
１０、１１  デジタルカメラ
１４  レンズ
１５  シリンドリカルレンズ
１６  記録メディア
１７、１９  撮影レンズ光学系
３４  モード切替ボタン
３６  取付部
４２  ＣＣＤ
【図１】
2005062531.tif 000003
【図２】
2005062531.tif 000004
【図３】
2005062531.tif 000005
【図４】
2005062531.tif 000006
【図５】
2005062531.tif 000007
【図６】
2005062531.tif 000008